(57)【特許請求の範囲】
【請求項１】
試料を収容するための単一のフローセル（２）と、
第１の光源（３）と、
前記フローセル（２）に収容された試料を照射するために前記第１の光源（３）からの光の前記フローセル（２）への伝播を可能にする第１の光路（５）と、
前記照射光のうちの前記フローセル（２）内の前記試料によって吸収されなかった部分について、前記照射光の該部分の振幅を割り出すように構成された試料検出器（９）への伝播を可能にする第２の光路（７）と
を備える、試料の蛍光および吸光度を測定するための装置（１）であって、
第２の光源（４）と、
前記試料をさらに照射するために前記第２の光源（４）からの光の前記フローセル（２）への伝播を可能にする第３の光路（６）と
をさらに備え、
前記試料検出器（９）は、前記さらなる照射の結果としての前記試料の蛍光からもたらされる光が前記第２の光路（７）によって伝播されてさらに検出するように構成されており、
第１のフィルタ（８）が、前記第２の光路（７）と前記試料検出器（９）との間に配置され、前記第１のフィルタ（８）は、前記第２の光源（４）によって発せられる波長の光を遮るように構成されたバンドパスフィルタ（１７）であり、
前記第１の光路（５）は、前記第３の光路（６）でもあり、吸光度の測定のための前記第１の光源（３）からの光および蛍光の測定のための前記第２の光源（４）からの光が、該同じ光路を通って前記フローセル（２）へと伝えられ、
前記照射光のうちの前記フローセル（２）内の前記試料によって吸収されなかった部分及び前記試料の蛍光からもたらされる光が同じ光路（７）を通って前記試料検出器（９）によって検出され、
前記光路は、光導体の形態である装置（１）。
【請求項２】
前記第１の光源（３）へと接続され、光を受け取って第１の部分（２１）および第２の部分（２２）へと分割するビームスプリッタ（１４）であって、前記第１の光路（５）は、前記第２の部分（２２）を受け取るように構成されている、ビームスプリッタ（１４）と、
光の前記第１の部分（２１）を受け取り、該第１の部分の電磁放射を検出するように構成された参照用検出器（１５）と、
前記参照用検出器（１５）からの第１の信号（３１）および前記試料検出器（９）からの第２の信号（３２）を受け取り、該第１および第２の信号（３１、３２）にもとづいて吸光度を割り出すように構成された処理ユニット（１６）と
をさらに備える、請求項１に記載の装置（１）。
【請求項３】
前記試料検出器（９）は、少なくとも１つの光検出器である、請求項１または２に記載の装置（１）。
【請求項４】
前記第１の光源（３）は、ＵＶ発光ダイオードである、請求項１乃至３のいずれか１項に記載の装置（１）。
【請求項５】
前記第２の光源（４）は、ＵＶ発光ダイオードである、請求項１乃至４のいずれか１項に記載の装置（１）。
【請求項６】
前記第１の光源（３）および前記第２の光源（４）は、パルス状である、請求項１乃至５のいずれか１項に記載の装置（１）。
【請求項７】
前記第３の光路（６）は、前記第２の光路（７）に対して或る角度に配置されている、請求項１乃至６のいずれか１項に記載の装置（１）。
【請求項８】
前記角度は、３０°〜１５０°である、請求項７に記載の装置（１）。
【請求項９】
前記第２の光路（７）は、光が前記第１の入口から出ることを防止するシャッタ要素（１０）を備える、請求項１乃至４および６乃至７のいずれか１項に記載の装置（１）。
【請求項１０】
前記第３の光路（６）は、前記フローセル（２）から前記試料検出器（９）へと光を伝えるように構成される、請求項９に記載の装置（１）。
【請求項１１】
前記第２の光源（４）および前記第１のフィルタ（８）は、当該装置のユーザによる交換が可能であるように構成されている、請求項１乃至１０のいずれか１項に記載の装置（１）。
【請求項１２】
試料を収容するための単一のフローセル（２）を用意するステップと、
前記フローセル（２）に収容された試料を照射するために第１の光源（３）から前記フローセル（２）へと光を第１の光路（５）を介して伝えるステップと、
電磁放射を定量化し、前記フローセル（２）内の前記試料の吸光度を割り出すための試料値を得るために、前記フローセル（２）から試料検出器（９）へと光を第２の光路（７）を介して伝えるステップと
を含んでいる試料内の物質の吸光度および蛍光を測定するための方法であって、
前記フローセル（２）に収容された前記試料を照射するために第２の光源（４）からの光を第３の光路（６）を介して前記フローセル（２）へと伝えるステップと、
前記フローセル（２）から前記試料検出器（９）へと光を前記第２の光路（７）を介して伝えるステップと、
前記試料検出器（９）で蛍光信号を検出し、前記試料内の前記物質の蛍光を割り出すステップと
をさらに含み、
第１のフィルタ（８）が、前記第２の光路（７）と前記試料検出器（９）との間に配置され、前記第１のフィルタ（８）は、前記第２の光源（４）によって発せられる波長の光を遮るように構成されたバンドパスフィルタ（１７）であり、
前記第１の光路（５）は、前記第３の光路（６）でもあり、吸光度の測定のための前記第１の光源（３）からの光および蛍光の測定のための前記第２の光源（４）からの光が、該同じ光路を通って前記フローセル（２）へと伝えられ、
前記照射光のうちの前記フローセル（２）内の前記試料によって吸収されなかった部分及び前記試料の蛍光からもたらされる光が同じ光路(７)を通って前記試料検出器（９）によって検出され、
前記光路は、光導体の形態である方法。
【請求項１３】
前記第１の光源（３）からの光をビームスプリッタ（１４）に伝え、該光の第１の部分（２１）を、該光の第１の部分（２１）の電磁放射を定量化して参照値を得る参照用検出器（１５）へと向けるステップと、
前記試料値および前記参照値から吸光度を割り出すステップと
をさらに含む、請求項１２に記載の方法。
【請求項１４】
前記第１および第２の光源をパルス状にするステップ
をさらに含む請求項１２又は１３のいずれか１項に記載の方法。
【請求項１５】
前記第２の光源（４）から前記フローセル（２）へと第３の光路（６）を通って光を伝え、前記フローセル（２）から前記試料検出器（９）へと第２の光路（７）を通って光を伝えるステップ
をさらに含んでおり、
前記入口および出口は、互いに或る角度にある、請求項１２乃至１４のいずれか１項に記載の方法。
【請求項１６】
前記角度は、３０°〜１５０である、請求項１５に記載の方法。
【請求項１７】
前記第１の光源（３）からの光の前記フローセル（２）への到達を防止するステップ  をさらに含む、請求項１２乃至１３、１５、および１６のいずれか１項に記載の方法。
【請求項１８】
前記第２の光源（４）を取り除き、第３の光源で置き換えるステップと、
前記第１のフィルタ（８）を取り除き、第２のフィルタで置き換えるステップと
をさらに含み、
前記第２のフィルタは、前記第３の光源によって発せられる波長の光の前記試料検出器（９）への到達を防止する、請求項１２乃至１７のいずれか１項に記載の方法。
【発明の詳細な説明】
【技術分野】
【０００１】
本発明は、試料中の物質の吸光度および蛍光を検出するための装置および方法に関する。
【背景技術】
【０００２】
試料の種々の特性の正確な検出は、さまざまな技術分野における多数の応用を有する領域である。例えば、液体クロマトグラフィにおいて、試料中の化学元素の量を割り出すための蛍光の検出が、しばしば必要とされる。しかしながら、蛍光検出装置は、高い感度と波長選択能力とを組み合わせるがゆえに、高価でかさばることが多い。多くの場合、分光計が、例えば中国実用新案第２８５６９８９号明細書によって知られているように、種々の波長の蛍光信号を検出するために使用される。
【０００３】
例えば、試料中に沈められるとともに、より低コストの光学分光計へと接続される光ファイバプローブの使用など、蛍光を測定するための他の方法も知られている。これにより、より費用効率の高い装置が実現されるが、感度がはるかに低い。
【０００４】
したがって、蛍光を検出するための方法および装置であって、費用効率の高いやり方で製造することができるが、試料の特性の測定における高い感度および精度が依然として維持される方法および装置が、一般的に必要とされている。
【先行技術文献】
【特許文献】
【０００５】
【特許文献１】国際公開第２０１４／０８８４９８号パンフレット
【発明の概要】
【０００６】
本発明の目的は、試料中の物質の蛍光および吸光度を測定するための費用効率の高い装置および方法を実現することにある。
【０００７】
本明細書において、「光」は、可視および不可視の電磁放射を含むように意図されている。本明細書において、「蛍光」および類似の用語は、物質が発する（可視または不可視の）光（自然蛍光）、あるいは例えば物質に付着した蛍光染料などの物質に関連付けられた蛍光分子または他の要素が発する光（誘起蛍光）を含むように意図される。用語「物質」が、本明細書において使用されるとき、任意の化学物質を指すことを理解できるであろう。特に、有機化合物および無機化合物が含まれる。有機化合物の例として、これらに限られるわけではないが、タンパク質、ペプチド、炭水化物、脂質、核酸、タンパク質核酸、薬物候補、および生体異物が挙げられる。無機化合物の例として、硫酸第二鉄、塩化銅、硝酸ニッケル、などの金属塩が挙げられる。
【０００８】
本発明の第１の態様において、試料検出器が試料中の物質の吸光度および蛍光を検出するように構成されている添付の独立請求項に記載の装置および方法が提供される。これにより、同じ装置を、吸光度および蛍光の両方の測定に使用することができ、費用効率の高い高感度の蛍光検出、ならびに試料の別の特性、すなわち吸光度を測定するように構成された装置へのこれらの機能の統合という両方の利点がもたらされる。これにより、蛍光の測定に使用される多くの構成要素は吸光度の測定にも必要であるため、著しい利点を達成することができる。
【０００９】
本発明の一態様によれば、試料検出器は、少なくとも１つの光検出器である。これにより、装置を小型かつ高い費用効率に製作することができるとともに、依然としていくつかの異なる波長の光を検出することができる。
【００１０】
本発明の一態様によれば、吸光度を測定するための第１の光源は、ＵＶ発光ダイオードである。これにより、帯域幅が狭く、低コストであり、かつ安定な構成要素という利点を達成することができ、電池または他の低電圧の電源による動作、ならびに構成要素の信頼できる使用が可能になる前の暖機時間の回避を含むいくつかの他の利点を有する。
【００１１】
本発明の一態様によれば、蛍光を測定するための第２の光源は、ＵＶ発光ダイオードである。これにより、物質に蛍光分子を適用する必要なく、物質の固有蛍光を測定することができる。
【００１２】
本発明の一態様によれば、第１の光源および第２の光源の少なくとも一方が、パルス状とされる。これにより、光源を一度に１つだけが光を発するように制御することができ、より高い感度で吸光度および蛍光を測定する機会がもたらされるとともに、光源のいずれかを完全にオフにしなくても参照値としてのバックグラウンド光を測定することができる。
【００１３】
本発明の一態様によれば、第１のフィルタが第２の導体と試料検出器との間に配置され、この第１のフィルタは、第２の光源によって放射された波長の光を遮断するように構成される。これにより、試料検出器に到達し得る検出に無関係な光の量を少なくできるため、蛍光信号の検出を向上させることができる。
【００１４】
本発明の一態様によれば、第１の導体は、第３の導体でもあり、したがって第１の光源および第２の光源からの光が、同じ導体を通ってセルへと伝えられる。これにより、より少ない部品で装置を構成することができ、コストをさらに最小限に抑えることができる。
【００１５】
本発明の一態様によれば、第２の導体は、第３の導体に対して或る角度に配置される。これにより、出口を通って試料検出器へと伝わる第２の光源からの光の量が減少し、試料からの蛍光信号の検出が改善される。好ましくは、第２の導体を通って伝わる第２の光源からの光の量を最小にするために、前記角度は９０°である。
【００１６】
本発明の一態様によれば、第１の入口は、光がこの第１の入口から出ることを防止するためのシャッタ要素を備える。これにより、光源がパルス状ではない場合に、蛍光測定の最中に第１の光源からの光が試料に照射されることが防止され、蛍光信号の検出が改善される。
【００１７】
本発明の一態様によれば、第２の光源および第１のフィルタは、装置のユーザによる交換が可能であるように構成される。これにより、ユーザは、装置のさらなる変更を必要とせずに、個々の用途の各々に最も適した光源およびフィルタを選択することができ、費用効率を維持しつつ、装置をより汎用的にすることができる。
【００１８】
本発明のさらなる利点および利益は、以下の詳細な説明に照らし、当業者にとって容易に明らかであろう。
【００１９】
次に、本発明を、添付の図面を参照して、さらに詳しく説明する。
【図面の簡単な説明】
【００２０】
【図１】試料中の物質の蛍光および吸光度を測定するための本発明による装置の第１の実施形態を開示する概略図である。
【図２】本発明による第２の実施形態の概略図である。
【図３】本発明の追加の構成要素を開示する第１の実施形態の概略図である。
【発明を実施するための形態】
【００２１】
図１は、本発明による装置１の第１の好ましい実施形態の概略図である。装置１は、図３を参照して以下で詳細に説明されるように、装置１のフローセル２内に位置する試料の吸光度の測定における使用に適した光を発する第１の光源３、好ましくはＵＶ  ＬＥＤを備える。第１の光源３からの光は、第１の入口１１においてフローセル２に接続された第１の光路、この場合には光ファイバ５の形態の光導体を通って、フローセル２に向かって伝播する。吸光度の測定のために、ビームスプリッタ１４および参照用検出器１５の形態のさらなる構成要素が、一般に必要とされる（図３を参照）。しかしながら、例えば参照値を得るためにフローセル内の水などの参照試料を使用することによって、これらの構成要素を必要とせずに吸光度を測定することは可能であると考えられる。第１の光源３は、試料の吸光度の測定に適しているのであれば、例えば別の種類のＬＥＤなど、ＵＶ範囲外の異なる波長の光をもたらす別の種類の光源であってもよいことに、注意すべきである。フローセル２からの光は、光を第１のフィルタ８を介して試料検出器９へと伝送する光ファイバ光導体７の形態の第２の光路に接続された出口１３を通ってフローセル２から出ることができる。
【００２２】
さらに、好ましくはやはりＵＶ  ＬＥＤである第２の光源４が、フローセル２を照射するように配置され、フローセル２内に位置する試料の蛍光の測定に適した光を放出する。第２の光源４からの光は、使用時に光ファイバ光導体６の形態の第３の光路を通ってフローセル２に向かって伝播し、第２の入口１２を通ってフローセル２に入る。
【００２３】
第１のフィルタ８は、好ましくは、フローセル２内の試料の蛍光信号の測定を改善するために、第２の光源４によって放射された波長の光を遮断するが、第１の光源３からの光および予想される蛍光信号の範囲内の光を通過させるように構成された少なくとも１つの光学バンドパスフィルタである。したがって、複数の波長範囲の光が、少なくとも１つの光学フィルタを通過することができる。技術的に周知のとおり、追加のバンドパスフィルタを第１および第２の光源３、４に隣接させて配置して、例えば１０ｎｍなどの狭い波長範囲だけを通過させることができることに、注意すべきである。第２の光源としてＵＶ  ＬＥＤを使用することが有利であり、なぜならば、これは、例えばタンパク質などの物質について２８０〜３００ｎｍの波長範囲の固有蛍光を測定する機会をもたらすからである。しかしながら、所望に応じ、例えば他の種類のＬＥＤなどの他の種類の光源も、使用することが可能である。
【００２４】
第２の光源４が第１の光源３に隣接して配置され、蛍光信号が第３の導体６を通って装置１から出ることができる実施形態を参照してさらに後述されるように、出口１３に、光を遮るためのシャッタ要素１０を配置することも可能である。
【００２５】
図２は、本発明による装置の第２の実施形態を開示しており、第１の導体５を用いて第１の光源３および第２の光源４の両方からの光をフローセル２へと伝える点で、第１の実施形態から相違している。したがって、この実施形態においては、両方の光源からの光が同じ方向からフローセルに進入する。これは、装置１に必要な構成要素がより少なく、両方の光源３、４からの光を同じ光ファイバによって伝送できるため、費用効率が高い。高い感度での正確な蛍光測定を依然として行うために、第１のフィルタ８は、第２の光源４によって放射される光の波長を遮断するように構成される。第１の光源３からの光が第１のフィルタ８を通過できると同時に、第２の光源４からの光が遮断されるように、第１の光源３および第２の光源４の波長が充分に異なっていると好都合である。
【００２６】
あるいは、測定されるべき蛍光が、試料の吸光度の測定に必要な波長に近く、あるいは試料の吸光度の測定に必要な波長と同一の励起波長を必要とするのであれば、第１の光源３および第２の光源４の代わりに単一の光源を使用できることに、注意すべきである。
【００２７】
単一の光源が使用される場合には、第１のフィルタ８は、当然ながら、吸光度の測定においては迂回または省略される必要があると考えられる。あるいは、第１の光源３および第２の光源４を、同じカバー内に一緒に取り付けることができる。
【００２８】
上述したように、試料検出器９は、好ましくは、光の振幅を検出および測定するように構成された少なくとも１つの光検出器である。光検出器は、例えば、フォトダイオード、アバランシェフォトダイオード、光電子増倍管、またはシリコン光電子増倍管であってよい。この用途のための分光計の使用と比較して、上述の光検出器は、小型で費用効率が高いという利点を有する。これは、容易な取り扱いおよび種々の場所での便利な使用を可能にする。一実施形態においては、特定の波長を検出することができるフォトダイオードを他の波長を検出することができるフォトダイオードで置き換えることができるように、試料検出器９を、ユーザによる取り外しが可能であるように構成することができる。一実施形態において、試料検出器は、フォトダイオードのアレイなどの複数のフォトダイオードを備えることで、装置のコストをわずかにしか増やさずに、検出可能な波長の数を増加させる。
【００２９】
所望であれば、いくつかの光源を並べて取り付け、各々の光源からの光を同じ光ファイバまたはファイバ束にて一緒に運び、フローセル２または異なる試料を収容しているいくつかの異なるフローセル２において再び分離させることができる。この多重化の実施形態においては、各々が例えば異なる蛍光色に対応する複数の光源を、フローセル２内の試料を照射するために使用することができ、蛍光信号として放出される各々の色の光の量を、例えば各々の色を検出するように構成されたフォトダイオードのアレイによって検出することができる。この場合、フォトダイオードの各々は、望まれない光の到達を防ぐために、そのフォトダイオードに合わせたフィルタを必要とすると考えられる。あるいは、例えばＯｐｔｏＦｌａｓｈ光学エンジン（Ｎｅｗｐｏｒｔ  Ｃｏｒｐｏｒａｔｉｏｎの商標）など、波長の多重化および検出をもたらし、ダイオードおよび光学フィルタの両方を備えている単一の構成要素を、試料検出器９として使用することができる。
【００３０】
図３は、図１の装置１をさらに詳細に示している。第１の光源３は、試料の吸光度の測定に適した光を放射し、試料中のタンパク質の吸光度を測定する場合には、好ましくはＵＶ範囲の光を放射する。光は、光をフィルタ処理し、狭い波長範囲、好ましくは約１０ｎｍ以下だけを通過させるように機能する第１の追加のバンドパスフィルタ１７を通過することができる。次いで、光は、ビームスプリッタ１４によって第１の部分および第２の部分２２に分割され、第１の部分２１は、光の第１の部分２１の電磁放射を検出する参照用検出器１５へと伝えられる。参照用検出器１５は、第１の光源３によって放射された波長の光の検出に適した試料検出器９と同じ種類の光検出器であってよい。さらに、参照用検出器１５は、参照用検出器１５によって受光される光の量に対応する第１の信号３１を受信するように構成された処理ユニット１６に、動作可能に接続される。
【００３１】
光の第２の部分２２は、ビームスプリッタ１４から第１の導体５を介してフローセル２に伝えられ、第１の入口１１を通ってフローセル２に入り、フローセル２およびフローセル内に含まれる試料を照射する。光の一部は試料によって吸収され、残りは出口１３および第２の導体７を通過して試料検出器９に向かう。試料検出器９に達する前に、光は、第１のフィルタ８を通過する。
【００３２】
したがって、好ましくは第１の光源３によって発せられた波長の光を検出するように構成された少なくとも１つの光検出器の形態である試料検出器９は、光の第２の部分２２のうちのフローセル２を通過した後の残りを受光し、この光の電磁放射を検出する。試料検出器９によって受光される光の量に対応する第２の信号３２が、試料検出器９に動作可能に接続された処理ユニット１６に伝えられる。
【００３３】
第１の光源３からの光の第１の部分２１に対応する第１の信号３１と、試料に吸収されずにフローセル２を通過した光に対応する第２の信号３２とを比較することによって、処理ユニットは、技術的に周知のとおり、試料の吸光度を割り出すように構成されている。
【００３４】
試料の蛍光の測定のために、好ましくはやはりＵＶ  ＬＥＤである第２の光源４が、試料における蛍光信号の発生に適した波長に対応する光を放射するように構成される。２６０〜３００ｎｍの波長の光を放射するＵＶ  ＬＥＤを使用することにより、種々のタンパク質または抗体において固有蛍光を検出することができる。ＧＦＰ（緑色蛍光タンパク質）などの別の物質の検出においては、約４００〜５００ｎｍの波長を放射するＬＥＤが適すると考えられ、さらに他の物質については、他の波長が使用されると考えられる。第２の追加のフィルタ１８を、第３の導体６に進入してフローセル２へと伝えられる前に、好ましくはわずか１０ｎｍの小さな波長範囲の光だけを通過させるように構成することができる。いくつかの実施形態においては、とりわけ第２の光源４がレーザである場合に、第２の追加のフィルタ１８は、通常は不要であろう。
【００３５】
したがって、第２の光源４からの光は、第２の入口１２を通ってフローセル２に入り、フローセル２に含まれる試料を照射する。これにより、第２の光源４からの光とは異なる波長を有する蛍光信号が生成される。この蛍光信号は、出口１３および第２の導体７を通って試料検出器９へと第１のフィルタ８を通って伝えられ、試料検出器において試料からの蛍光信号の大きさに対応する第３の信号３３を生成する。この第３の信号３３を、ユーザへの提示ならびに／あるいは保存およびさらなる分析のために、処理ユニット１６へと伝えることができる。
【００３６】
第２の入口１２および第３の導体６が、出口１３よび第２の導体７に対して或る角度に配置されると有利であり、なぜならば、出口１３を通過する第２の光源４からの直接光の量が、入口と出口とが互いに向かい合わせに配置されている場合よりも少なくなるからである。好ましくは、角度は３０°〜１５０°、より好ましくは約９０°である。
【００３７】
上述したように、第２の光源４としてＵＶ  ＬＥＤを用いることにより、装置１は、タンパク質および抗体などのいくつかの物質の固有蛍光を検出することができる。他の化合物は、例えば４００〜７００ｎｍの可視範囲またはより高い波長など、他の範囲の固有蛍光を有する。所望に応じて、蛍光分子または標識を試料に共有結合させ、選択された分子に対応する波長の光を発する第２の光源４を用いて検出することができる。したがって、本発明の実施形態によれば、第２の光源４を異なる種類のレーザまたはＬＥＤで置き換えることができ、これに対応して、第２の光源４によって放射された波長の光が試料検出器９へと到達することを防止するように構成された第１のフィルタ８も変更することができる。この実施形態においては、第２の光源４および第１のフィルタ８を、装置１の他の特性を変更することなく現場でユーザが取り外して交換することができる。したがって、第２の光源を、第３の光源で置き換え、第１のフィルタ８を、第３の光源によって放射された波長の光を遮断するように構成されたバンドパスフィルタである第２のフィルタで置き換えることができる。装置１と互換性のある複数の光源およびフィルタを用意し、ユーザが特定の用途に最も適した光源およびフィルタを選択できるようにすることができる。次いで、これらを装置１に取り付け、その後の蛍光測定に使用することができる。あるいは、装置１自体に複数のフィルタおよび光源を設けることができ、ユーザは、例えばホイールを回転させ、あるいはスイッチを係合させることによってそれらを切り替えて、特定の光源を対応するフィルタとともに用いることができる。第２の光源から狭い波長範囲のみを通過させるために第２の追加のフィルタが使用される場合、このフィルタも交換可能である。さらに別の代案は、入射光に対する種々の角度において異なる波長を遮断するように構成された調節可能なバンドパスフィルタを使用することである。この場合、調節可能なバンドパスフィルタを、どの波長を遮断すべきかを決定するためにソフトウェアによって制御することができ、これもまた「交換可能」という用語に包含される。
【００３８】
好ましくは、第１および第２の光源３、４は、所与の時点において一方の光源の光だけが試料検出器９に到達するように保証するために、例えば方形波を使用することによってパルス状にされる。これにより、吸光度および蛍光を別々に測定することができ、光源のいずれか１つを完全にオフにすることを必要とせずに、測定の感度および精度を高めることができる。代案として、信号を抽出するために、サイナス（ｓｉｎｕｓ）波などの別の波形を使用し、処理ユニット１６によってモデル化することもできる。所望に応じて、パルスを、バックグラウンド光を測定して処理ユニットのための参照値をもたらすことができるように設計することもできる。
【００３９】
一実施形態において、試料検出器９は、各々がいくつかの波長を検出するように構成された複数のフォトダイオードを含むことができる。これにより、いくつかの波長の光を検出することができる。
【００４０】
多くの実施形態において、吸光度および蛍光は同時に測定されるのではなく、むしろ第１および第２の光源３、４からの光をパルス状にするか、あるいは図１によって示されるようなシャッタ要素１０を使用することによって、一度に１つずつ測定される。シャッタとともに使用するための本発明の最も好適な実施形態は、第２の光源４が第１の光源３に隣接して取り付けられ、したがって両方の光源からの光が第１の導体５を通って装置１に進入することができる図１の第１の実施形態の変形版である。その場合、第３の導体６は、蛍光信号のフローセル２からの取り出しを可能にするように機能し、第４の導体（図示せず）が、光を試料検出器９へと伝えるために第３の導体６へと接続される。したがって、第３の導体６は、フローセル２からの光を試料検出器９へと伝えるように構成される。同時に、第１の光源３からの光が第１のフィルタ８および試料検出器９に到達することがないように、シャッタ１０が閉じられる。これにより、蛍光測定の感度を向上させることができ、第１の光源３からの追加の光の乱れを、おおむね防止することができる。
【００４１】
装置１が、生成される信号ならびに第１および第２の光源３、４から放出される光を増強および改善するように働く追加の構成要素をさらに含むことができることを、理解すべきである。これは、技術的に周知であり、ここでは詳細には説明しない。また、装置１の種々の構成要素を、それらの通常の動作を可能化および促進するように機能する電源ならびに電気的な構成要素および回路へと接続することができること、および検出器９、１５によって生成されるすべての信号を処理ユニットによって処理し、分析し、保存し、さらには提示することができることを、当業者であれば容易に理解できるであろう。
【００４２】
本発明は、本明細書に記載の特定の実施形態によって限定されるものと見なされるべきではなく、むしろ当業者によって容易に理解されるように、添付の特許請求の範囲の技術的範囲の中で変更が可能である。例えば、第１のフィルタを備えず、ビームスプリッタおよび参照用検出器を備えずに、本発明を実行することが可能であると考えられる。上述した種々の実施形態の特徴を、他の実施形態においても一般的に使用できることに、注意すべきである。
【符号の説明】
【００４３】
１  装置
２  フローセル
３  第１の光源
４  第２の光源
５  第１の導体、光ファイバ
６  第３の導体、光ファイバ光導体
７  第２の導体、光ファイバ光導体
８  第１のフィルタ
９  試料検出器
１０  シャッタ要素
１１  第１の入口
１２  第２の入口
１３  出口
１４  ビームスプリッタ
１５  参照用検出器
１６  処理ユニット
１７  バンドパスフィルタ
１８  フィルタ
２１  第１の部分
２２  第２の部分
３１  第１の信号
３２  第２の信号
３３  第３の信号
【図１】
0006804445.tif 000002
【図２】
0006804445.tif 000003
【図３】
0006804445.tif 000004